(57)【要約】【課題】電子レンジの上に置いて使用しても、中のラップフィルムがくっ付くことがなくスムースに繰り出すことができるようにする。【解決手段】少なくとも一方の側壁内板に側壁外板を抉る形で脚片１６ａを突設するとともに、本体底板と側壁外板１５との境界において脚片１６ｆと対応する位置にスリットを形成しておき、折り曲げた２枚の側壁内板の上から側壁外板を折り曲げて重ねたときに脚片１６ｆがスリットをくぐって本体底板と側壁外板との境界からカートン本体の下部に突出するようにした。未使用時はもちろんのこと開封後にあっても、脚片２３ｂによりカートン本体１が傾斜し、本体底板が接地面から離れて断熱用の隙間が形成される。【選択図】図１
2014184973.tif 000002
【特許請求の範囲】
【請求項１】
本体前板、本体底板、本体後板および本体側部からなり紙筒にロール状に巻かれた樹脂製のラップフィルムを収納するカートン本体と、本体後板の上端縁に起伏自在に連設された蓋体上板と、蓋体上板の先端に連設され本体前板の上部と重なる蓋体前板と、蓋体上板と蓋体前板の両端をそれぞれつなぐ蓋体側部と、蓋体前板の先端に破断線を介して連設され本体前板の下部に糊付けされる開封板と、蓋体前板から刃先部分がはみ出る状態で蓋体前板の先端付近裏側に取り付けられた鋸刃部材とを有するラップフィルム用カートンにおいて、本体前板と本体後板にそれぞれ連設した２枚の側壁内板と本体底板に連設した側壁外板とで本体側部を構成するようにし、少なくとも一方の側壁内板に側壁外板を抉る形で脚片を突設するとともに、本体底板と側壁外板との境界において脚片と対応する位置にスリットを形成しておき、折り曲げた２枚の側壁内板の上から側壁外板を折り曲げて重ねたときに脚片がスリットをくぐって本体底板と側壁外板との境界からカートン本体の下部に突出するようにしたことを特徴とするラップフィルム用カートン。
【発明の詳細な説明】
【技術分野】
【０００１】
本発明は、食品包装などに用いられるラップフィルムを収納するラップフィルム用カートンに関するものである。
【背景技術】
【０００２】
従来より、食品などを包むのに用いられる樹脂製のラップフィルムは、紙筒にロール状に巻かれた状態で板紙製の細長いカートンに収納された状態で販売されている。そして、使用するときは、カートンを開封してから、蓋の部分を開いてラップフィルムの端部を摘んだ状態で所望の長さだけ引き出し、蓋の端縁に取り付けられた鋸刃状のカッターで切断するようになっている。
【先行技術文献】
【特許文献】
【０００３】
【特許文献１】特開平１０−２５８８３４号公報
【特許文献２】特開平１０−３２４３２８号公報
【特許文献３】特開２００７−１６２５号公報
【発明の概要】
【発明が解決しようとする課題】
【０００４】
一般に、上記のような樹脂製のラップフィルムは、食品を包んで冷蔵庫で保存するときに使われるほか、食品を食べるときに電子レンジで温めたり解凍したりするときに用いられることが多い。そのため、ラップフィルムを収納したカートンは、電子レンジの上に置かれることがある。このような場合、電子レンジの稼働時に機器の天面が熱くなることによって、その熱がカートンを通して伝わり、樹脂製であるラップフィルムの表面が軟化して互いにくっ付いてしまい、端部を引っ張ってもカートンからスムースに繰り出せなくなるという問題を生じる。
【０００５】
本発明は、このような問題に鑑みてなされたものであり、その目的とするところは、電子レンジの上に置いて使用しても、中のラップフィルムがくっ付くことがなく、使用するときにスムースに繰り出すことができるようにしたラップフィルム用カートンを提供することにある。
【課題を解決するための手段】
【０００６】
上記の目的を達成するため、本発明に係るラップフィルム用カートンは、本体前板、本体底板、本体後板および本体側部からなり紙筒にロール状に巻かれた樹脂製のラップフィルムを収納するカートン本体と、本体後板の上端縁に起伏自在に連設された蓋体上板と、蓋体上板の先端に連設され本体前板の上部と重なる蓋体前板と、蓋体上板と蓋体前板の両端をそれぞれつなぐ蓋体側部と、蓋体前板の先端に破断線を介して連設され本体前板の下部に糊付けされる開封板と、蓋体前板から刃先部分がはみ出る状態で蓋体前板の先端付近裏側に取り付けられた鋸刃部材とを有するラップフィルム用カートンにおいて、本体前板と本体後板にそれぞれ連設した２枚の側壁内板と本体底板に連設した側壁外板とで本体側部を構成するようにし、少なくとも一方の側壁内板に側壁外板を抉る形で脚片を突設するとともに、本体底板と側壁外板との境界において脚片と対応する位置にスリットを形成しておき、折り曲げた２枚の側壁内板の上から側壁外板を折り曲げて重ねたときに脚片がスリットをくぐって本体底板と側壁外板との境界からカートン本体の下部に突出するようにしたことを特徴とする。
【発明の効果】
【０００７】
本発明のラップフィルム用カートンは、本体底板の両端から脚片が下方に突き出た形態をしているので、本体底板を下側にして置いたときに、未使用時はもちろんのこと開封後にあっても、脚片によりカートン本体が傾斜させられ、本体底板が接地面から離れて断熱用の隙間が形成されることから、電子レンジの上に載せた状態で機器が熱くなったとしても、ラップフィルムに熱が伝わるのが防止され、軟化して互いにくっ付くことがなく、常にカートンからスムースに繰り出すことができる。
【０００８】
そして、従来のカートン形態に大きな変更を加えておらず、既存の装置を使用して組み立てることができるので、底部からの熱伝導を防御するという新しい機能を付加しているにもかかわらず、多大な設備費や開発費の負担が少なくて済む。
【図面の簡単な説明】
【０００９】
【図１】本発明に係るラップフィルム用カートンの一例を示す斜視図である。
【図２】図１のラップフィルム用カートンを組み立てるブランクの展開図である。
【図３】サック貼り状態から角筒状に起こしたブランクの開放部を閉じる組立手順の説明図である。
【図４】図３に続く組立手順を示す説明図である。
【図５】図４に続く組立手順を示す説明図である。
【図６】図５に続く組立手順を示す説明図である。
【図７】図１のラップフィルム用カートンを開封した状態で示す斜視図である。
【発明を実施するための形態】
【００１０】
次に、本発明の実施形態について図面を参照しながら詳細に説明する。
【００１１】
図１は本発明に係るラップフィルム用カートンの一例を示す斜視図であり、このラップフィルム用カートンＣは図２にその展開図を示すブランクを組み立てて形成される。このブランクは、普通の紙器に用いられる板紙を打ち抜いたもので、同図においてＡ−Ａ線の上側と下側がそれぞれカートン本体１と蓋体２の構成部分である。
【００１２】
カートン本体１の構成部分は、横長の本体前板１１、本体底板１２、本体後板１３が順次折線を介して連設されており、本体後板１３の両側には大きい方の側壁内板１４が、本体底板１２の両側には側壁外板１５が、また本体前板１１の両側には小さい方の側壁内板１６がそれぞれ折線を介して連設されている。さらに、側壁外板１５の外側の辺には両側に切込のある折線を介して差込みフラップ１７が連設されており、この差込みフラップ１７を折り曲げることにより外側に突き出る突起部１５ａが側壁外板１５の中ほどに切込で区画されている。
【００１３】
蓋体２の構成部分は、カートン本体１の本体後板１３に折線を介して蓋体上板２１が連設され、さらにこの蓋体上板２１に折線を介して蓋体前板２２が連設され、その蓋体前板２２にＴ字状の切込が連続する破断線αを介して開封板２３が連設されており、蓋体上板２１の両側には蓋体側板２４が、また蓋体前板２２の両側には接着片２５がそれぞれ折線を介して連設されている。これら蓋体前板２２と開封板２３の両者を合わせた幅は、カートン本体１の本体前板１１の幅になるように設定されている。
【００１４】
蓋体前板２２はカートン本体１の本体前板１１の上部と重なるところであり、開封板２３はカートン本体１の本体前板１１の下部に糊付けされるところである。そして、開封板２３を本体前板１１に剥がしやすい状態で糊付けするため、本体前板１１における本体底板１２に近接するところに円形の半切線で複数の接着ポイント１１ａが形成され、それらに対応して開封板２３に半円形の切込で接着ポイント２３ａが形成されている。
【００１５】
また、蓋体前板２２の先端付近裏側には、ラップフィルムを切断するための鋸刃部材３が蓋体前板２２から刃先部分が開封板２３側にみ出る状態で接着剤等で取り付けられており、使用開始時に、カートン本体１の本体前板１１の下部に糊付けされた開封板２３を本体前板１１から剥がしつつ蓋体前板２２から破断線αで切り離して鋸刃部材３の刃先部分を蓋体前板２２から露出させる（図７参照）。
【００１６】
そして、このブランクにはカートンＣとして組み立てたときに本体底板１５の両端から脚片が突き出るように工夫が施されている。具体的には、小さい方の側壁内板１６に側壁外板１５を抉る形で三角状の脚片１６ｆが突設されており、本体底板１２と側壁外板１５との境界において脚片１６ｆと対応する位置にスリットβが形成されている。ここでは、折り曲げた側壁内板１６の上から側壁外板１５を折り曲げて重ねたときに脚片１６ｆがスリットβを簡単にくぐることができるようにするため、側壁外板１５にはスリットβを含む切込みにより図示のような三角状の揺動片１５ｆが形成されている。このような揺動片１５ｆを残す代わりに三角状の孔を形成してもよいが、揺動片とする方がブランク打抜き時にゴミが出ないことになる。
【００１７】
なお、側壁外板１５に形成されている楕円状の切込領域１５ｂはラップフィルムを巻いた紙筒の抜け止め手段であり、途中にツナギのある切込線で形成されており、使用時にこの切込領域１５ｂを中に押すと紙筒の端から中空部に入り込むようになっている。そして、この切込領域１５ｂを中に押し込めるようにするため、図示のように、側壁内板１６に通過用の切欠部１６ａを設けてあり、さらに側壁内板１４には、全体として概略Ｙ字状をなした切れ目線によりほぼ三角形状をした３つの折曲げ可能なフラップからなる押込みフラップ部１４ａが設けられている。
【００１８】
上記の構成からなる図２のブランクを組み立てて図１に示すラップフィルム用カートンＣを作成する。具体的には、まず本体前板１１の接着ポイント１１ａと開封板２３の接着ポイント２３ａとを貼り合わせるようにしてブランクをサック貼りする。そして、充填工程において、このサック貼り状態のブランクを角筒状に起こした後、一方の開放部を閉じてから、紙筒にロール状に巻かれたラップフィルムを他方の側部から投入し、しかる後に他方の開放部も閉じる。
【００１９】
一方の開放部と他方の開放部を閉じる組立手順はいずれも次のようである。図１の右側で説明すると、まず図３に示す開いた状態から、図４と図５に示すように側壁内板１４と側壁内板１６をこの順に折り曲げる。これにより、図５に示す如く側壁外板１５の揺動片１５ｆの上に側壁内板１６の脚片１６ｆが重なった状態になる。
【００２０】
次いで、折り曲げた側壁内板１４と側壁内板１６の両者に跨がるように糊を塗布してから、側壁外板１５をそれらの上に重なるように折り曲げ、先端の差込みフラップ１７を蓋体上板２１の下側に差し込んで図６に示す如く蓋をする。このとき、側壁内板１６の脚片１６ｆが側壁外板１５の揺動片１５ｆを押し退けるようにしてスリットβをくぐり、本体底板１２と側壁外板１５との境界からカートン本体１の下部に突出する。また、側壁内板１６の切欠部１６ａが側壁内板１４の押込みフラップ部１４ａを避けるとともに、側壁外板１５の切込領域１５ｂが押込みフラップ部１４ａに重なった状態になる。
【００２１】
続いて、接着片２５を曲げてその上に糊を塗布してから蓋体側板２４を折り曲げてそれに貼り合わせる。このように両方の開放部を閉じることにより、本体前板１１と本体底板１３と本体後板１３の両端をつなぐ本体側部が形成され、蓋体上板２１と蓋体前板２２の両端をつなぐ蓋体側部が形成される。
【００２２】
このサック貼り工程と充填工程とからなる組立工程は脚片を設けない従来のカートンと同じである。したがって、図１のラップフィルム用カートンＣは、現在使用している既存の装置をそのまま使用して組み立てることができる。
【００２３】
図１のラップフィルム用カートンＣは、本体底板１２の両端から脚片１６ｆが下方に突き出た形態をしている。このため、平らなところに置くと傾斜して本体底板１２が接地面から離れて隙間が形成されることになり、電子レンジの上に載せた状態で機器が熱くなったとしても、ラップフィルムに熱が伝わるのが防止され、軟化して互いにくっ付くことがない。
【００２４】
使用に際して開封するが、このラップフィルム用カートンＣは、カートン本体１の本体前板１１の下部に接着ポイント１１ａ，２３ａで糊付けされている開封板２３の端を摘んで本体前板１１から剥がしつつ、蓋体前板２２から破断線αで切り離して鋸刃部材３の刃先部分を蓋体前板２２から露出させることで開封される。そして、両端の側壁外板１５に形成された切込領域１５ｂをそれぞれ中に押し込むことにより、ラップフィルムを巻いた紙筒の抜け止め手段を形成する。しかる後、図７に示すように蓋体２を開けた状態でラップフィルムを所望の長さだけ引き出してから、カートン本体１に蓋体２を被せ、その引き出したラップフィルムを鋸刃部材３で切り取る。
【００２５】
ラップフィルム用カートンＣを開封しても、本体底板１２の両端から脚片１６ｆが下方に突き出た形態をしていることに変わりはない。したがって、ラップフィルム用カートンＣを開封後に本体底板１２を下側にして平らなところに置いたとき、この脚片１６ｆがカートン本体１を傾斜させ、本体底板１２を接地面から離して隙間を設けることになり、電子レンジの上に載せた状態で機器が熱くなっても、ラップフィルムに熱が伝わるのが防止され、軟化して互いにくっ付くことがなく、常にカートンからスムースに繰り出すことができる。
【００２６】
上記ラップフィルム用カートンＣの組立時において、側壁外板１５を側壁内板１４と側壁内板１６に重ねて貼り付けるが、このときに差込みフラップ１７を側壁外板１５に対して内側に折り曲げるので、側壁外板１５に区画された突起部１５ａが紙の反撥力で弾力的に起き上がる。また、接着片２５を蓋体側板２４に接着した状態では、接着片２５の上辺は蓋体側板２４の内面において段部を形成するので、蓋体２をカートン本体１に被せたときに、突起部１５ａがその段部に引っ掛かり、蓋体２のカートン本体１からの浮き上がりが防止される。
【００２７】
以上、本発明の実施の形態について詳細に説明してきたが、本発明によるラップフィルム用カートンは、上記実施の形態に何ら限定されるものではなく、本発明の趣旨を逸脱しない範囲において種々の変更が可能であることは当然のことである。
【００２８】
例えば、上記の例では、小さい方の側壁内板１６に側壁外板１５を抉る形で脚片１６ｆを突設したが、少なくとも一方の側壁内板に側壁外板を抉る形で脚片を突設し、本体底板と側壁外板との境界において脚片と対応する位置にスリットを形成すればよい。
【符号の説明】
【００２９】
Ｃ  ラップフィルム用カートン
１  カートン本体
１１  本体前板
１１ａ  接着ポイント
１２  本体底板
１３  本体後板
１４  側壁内板
１４ａ  押込みフラップ部
１５  側壁外板
１５ａ  突起部
１５ｂ  切込領域
１５ｆ  揺動片
１６  側壁内板
１６ａ  切欠部
１６ｆ  脚片
１７  差込みフラップ
２  蓋体
２１  蓋体上板
２２  蓋体前板
２３  開封板
２３ａ  接着ポイント
２４  蓋体側板
２５  接着片
３  鋸刃部材
α  破断線
β  スリット
【図１】
2014184973.tif 000003
【図２】
2014184973.tif 000004
【図３】
2014184973.tif 000005
【図４】
2014184973.tif 000006
【図５】
2014184973.tif 000007
【図６】
2014184973.tif 000008
【図７】
2014184973.tif 000009